(57)【特許請求の範囲】
【請求項１】
投入された遊技メダルの適否を選別し適正なものとして選別した遊技メダルを検知するメダルセレクタ装置と、該メダルセレクタ装置が検知して出力した検知信号の整合性に基づいて当該遊技メダルの投入を受け付けるセレクタ制御手段と、を備えている遊技機であって、
前記メダルセレクタ装置には、遊技メダルの移動方向に沿う方向に並設される少なくとも２つのセンサと、
遊技メダルの外周面を載置して当該遊技メダルを自重により下方へ転動移送させる、傾斜角度変更可能に設けられるレール部材と、
前記レール部材の傾斜角度を変更させる駆動手段と、が備えられ、
前記セレクタ制御手段には、前記駆動手段を制御して前記レール部材の傾斜角度を設定するレール角度設定手段と、
前記センサからの各検知信号の順序及び時間差を測定する時間差測定手段と、
測定した前記時間差と前記レール角度設定手段が設定した前記レール部材の傾斜角度とが所定の対応関係を有しているか否か判別し、所定の対応関係を有しているときに当該遊技メダルの投入を受け付けるメダル投入判別手段と、が備えられていることを特徴とする遊技機。
【請求項２】
前記セレクタ制御手段には、前記レール部材の傾斜角度をランダムな量に設定変更するためのランダム量発生手段が更に備えられていることを特徴とする請求項１に記載の遊技機。
【請求項３】
前記セレクタ制御手段には、測定した前記時間差と前記レール角度設定手段が設定した前記レール部材の傾斜角度とが所定の対応関係を有していないとき異常とみなしてこれを報知する異常処理手段が更に備えられていることを特徴とする請求項１又は２に記載の遊技機。
【請求項４】
遊技メダルを投入して遊技を行う遊技機に搭載され、投入された遊技メダルの適否を選別し適正なものとして選別した遊技メダルを検知するメダルセレクタ装置であって、
前記メダルセレクタ装置には、遊技メダルの移動方向に沿う方向に並設される少なくとも２つのセンサと、
遊技メダルの外周面を載置して当該遊技メダルを自重により下方へ転動移送させる、傾斜角度変更可能に設けられるレール部材と、
前記レール部材の傾斜角度を変更させる駆動手段と、が備えられていることを特徴とするメダルセレクタ装置。
【請求項５】
遊技メダルを投入して遊技を行う遊技機に搭載され、適正なものとして選別した遊技メダルを当該遊技メダルの移動方向に沿う方向に並設される少なくとも２つのセンサで検知するメダルセレクタ装置に用いられるメダル検出方法であって、
遊技メダルの外周面を載置して当該遊技メダルを自重により下方へ転動移送させるレール部材の傾斜角度をランダムな何れか１つの角度に設定変更する工程と、
前記センサからの各検知信号の順序及び時間差を測定する工程と、
測定した前記時間差と設定されている前記レール部材の傾斜角度とが所定の対応関係を有しているか否か判別し、所定の対応関係を有しているときに当該遊技メダルの投入を受け付ける工程と、が備えられていることを特徴とするメダル検出方法。
【請求項６】
測定した前記時間差と設定されている前記レール部材の傾斜角度とが所定の対応関係を有していないとき異常とみなしてこれを報知する工程が更に備えられていることを特徴とする請求項５に記載のメダル検出方法。
【発明の詳細な説明】
【技術分野】
【０００１】
本発明は、メダルを投入して遊技を行う遊技機、遊技機に用いられるメダルセレクタ装置及びメダルセレクタ装置を用いたメダル検出方法に関し、特に不正防止を目的とするものに関する。
【背景技術】
【０００２】
従来、遊技メダル（以下単に「メダル」という）を用いて遊技を行うスロットマシン等の遊技機においては、例えば特許文献１に記載されるメダルセレクタが筐体内部に設けられている。かかるメダルセレクタは、遊技機が待機状態等において遊技者がメダル投入部より投入したメダルの適否を選別し振り分ける装置であり、適正のものとして振り分けられたメダルが２つのフォトセンサからなるメダルセンサにより検知されたとき、内部に貯留するクレジットが増加するように形成されている。
【０００３】
ところで、近年、図１６に示されるように、不正行為者が遊技機のメダル投入部から俗に「クレマン君」と称される不正器具Ｆをメダルセレクタ９００へ挿入し、その先端に設けた発光素子Ｆｌ、Ｆｌを順に発光させることにより、メダルの通過を擬似的に再現してセンサ９０１、９０２を誤作動させる不正行為が問題となっている。かかる不正器具Ｆが使用されると、クレジットを短時間で大幅に増加させることができてしまい、遊技を提供するホールにとっては大きな損害を被る場合があった。
【０００４】
このような問題に対処し、最近では所定の信号で変調したパルス状の光を用い、その信号と同期する反射光をフォトセンサが受光した場合のみメダルの投入を受け付ける、いわゆるパルス変調によるメダル検出方式が遊技機に採用されている。
【０００５】
【特許文献１】特開２００５−５８４９２
【発明の開示】
【発明が解決しようとする課題】
【０００６】
しかし、このようなメダルセレクタにおける不正対策の進歩に追随して上述の不正器具も巧妙化してきている。例えば、上述したパルス変調方式で検知するメダルセンサに対しては、発光パルスに同期して偽のパルス光を発生させ誤作動させる新たな不正器具も闇に出回っている。
また、不正器具の形状も上述のメダル投入部の形状に似せて形成されることが多く、この場合不正器具がメダル投入部に挿入されたとしても、一見して不正行為の事実を判別するのが難しい。
【０００７】
本発明は、こうした従来の問題に鑑みてなされたものであり、不正器具を使ってクレジットを増加させるような不正行為の実行を極めて困難にし、またそのような不正行為の発見も迅速、確実に行える等の遊技機、メダルセレクタ装置及びメダル検出方法を提供することを目的としている。
【課題を解決するための手段】
【０００８】
上述した課題を解決するためになされた請求項１に記載の発明は、投入された遊技メダルの適否を選別し適正なものとして選別した遊技メダルを検知するメダルセレクタ装置と、該メダルセレクタ装置が検知して出力した検知信号の整合性に基づいて当該遊技メダルの投入を受け付けるセレクタ制御手段と、を備えている遊技機であって、前記メダルセレクタ装置には、遊技メダルの移動方向に沿う方向に並設される少なくとも２つのセンサと、遊技メダルの外周面を載置して当該遊技メダルを自重により下方へ転動移送させる、傾斜角度変更可能に設けられるレール部材と、前記レール部材の傾斜角度を変更させる駆動手段と、が備えられ、前記セレクタ制御手段には、前記駆動手段を制御して前記レール部材の傾斜角度を設定するレール角度設定手段と、前記センサからの各検知信号の順序及び時間差を測定する時間差測定手段と、測定した前記時間差と前記レール角度設定手段が設定した前記レール部材の傾斜角度とが所定の対応関係を有しているか否か判別し、所定の対応関係を有しているときに当該遊技メダルの投入を受け付けるメダル投入判別手段と、が備えられていることを特徴とする。
【０００９】
請求項１に記載の遊技機は、例えばスロットマシン１であり、投入された適正な遊技メダルを検知するメダルセレクタ装置（例えばメダルセレクタ１００）と、メダルセレクタ装置が検知した検知信号に基づいて遊技メダルの投入を認定し受け付ける処理を行うセレクタ制御手段（例えばセレクタ制御手段２００）とが備えられている。また、メダルセレクタ装置において、遊技メダルの外周面を載置して当該遊技メダルを自重により下方へ転動移送させるレール部材（例えば傾斜レール部材１０９ｂ）が傾斜角度変更可能に設けられるとともに、レール部材の傾斜角度を変更させる駆動手段（例えば揺動モータ１５５）が備えられている。
セレクタ制御手段のレール角度設定手段（例えばレール角度設定手段２０４）は、例えば毎回の遊技開始時に駆動手段を制御してレール部材の傾斜角度を設定変更する。時間差測定手段（例えば時間差測定手段２０６）は、センサからの各検知信号を受信し、これらの順序及び時間差を測定する。メダル投入判別手段（例えばメダル投入判別手段２０７）は、測定した時間差と設定されているレール部材の傾斜角度とが所定の対応関係を有しているか否か判別し、所定の対応関係を有しているときに当該遊技メダルの投入を認定し受け付ける処理を行う。
【００１０】
かかるメダルセレクタ装置を備えた請求項１に記載の遊技機によれば、仮に不正器具をメダルセレクタ装置の内部へ侵入させたとしても、随時変更されるレール部材の傾斜角度に応じたタイミング間隔でセンサを誤作動させることは困難となる。したがって、かかる不正行為の実行を防止することができる。
【００１１】
また、請求項２に記載の発明は、請求項１に記載の遊技機であって、前記セレクタ制御手段には、前記レール部材の傾斜角度をランダムな量に設定変更するためのランダム量発生手段が更に備えられていることを特徴とする。
【００１２】
かかるランダム量発生手段（例えばランダム量発生手段２０３）を備えた請求項２に記載の遊技機によれば、メダルセレクタ装置のレール部材の傾斜角度を随時ランダムに変更することにより、侵入させた不正器具を用いては、設定されている傾斜角度に対応したタイミング間隔でセンサを誤作動させることが極めて困難となる。したがって、かかる不正行為の実行を確実に防止することができる。
【００１３】
また、請求項３に記載の発明は、請求項１又は２に記載の遊技機であって、前記セレクタ制御手段には、測定した前記時間差と前記レール角度設定手段が設定した前記レール部材の傾斜角度とが所定の対応関係を有していないとき異常とみなしてこれを報知する異常処理手段が更に備えられていることを特徴とする。
【００１４】
かかる異常処理手段（例えば異常処理手段２１０）を備えた請求項３に記載の遊技機によれば、設定されているレール部材の傾斜角度と所定の対応関係を有しない検知信号に基づいて直ちに異常を検出し報知するので、例えば不正器具を用いた不正行為の事実を迅速に発見することができるとともに、不正行為を未然に防止して被害を抑制することができる。
【００１５】
次に、請求項４に記載の発明は、遊技メダルを投入して遊技を行う遊技機に搭載され、投入された遊技メダルの適否を選別し適正なものとして選別した遊技メダルを検知するメダルセレクタ装置であって、前記メダルセレクタ装置には、遊技メダルの移動方向に沿う方向に並設される少なくとも２つのセンサと、遊技メダルの外周面を載置して当該遊技メダルを自重により下方へ転動移送させる、傾斜角度変更可能に設けられるレール部材と、前記レール部材の傾斜角度を変更させる駆動手段と、が備えられていることを特徴とする。
【００１６】
かかる請求項４に記載のメダルセレクタ装置によれば、レール部材の傾斜角度を駆動手段が例えば随時ランダムに変更することにより、侵入させた不正器具を用いては、設定されている傾斜角度に対応したタイミング間隔でセンサを誤作動させることが極めて困難となる。したがって、かかる不正行為の実行を確実に防止することができる。
【００１７】
次に、請求項５に記載の発明は、遊技メダルを投入して遊技を行う遊技機に搭載され、適正なものとして選別した遊技メダルを当該遊技メダルの移動方向に沿う方向に並設される少なくとも２つのセンサで検知するメダルセレクタ装置に用いられるメダル検出方法であって、遊技メダルの外周面を載置して当該遊技メダルを自重により下方へ転動移送させるレール部材の傾斜角度をランダムな何れか１つの角度に設定変更する工程と、前記センサからの各検知信号の順序及び時間差を測定する工程と、測定した前記時間差と設定されている前記レール部材の傾斜角度とが所定の対応関係を有しているか否か判別し、所定の対応関係を有しているときに当該遊技メダルの投入を受け付ける工程と、が備えられていることを特徴とする。
【００１８】
かかる請求項５に記載のメダル検出方法によれば、メダルセレクタ装置のレール部材の傾斜角度を随時ランダムに変更することにより、侵入させた不正器具を用いては、設定されている傾斜角度に対応したタイミング間隔でセンサを誤作動させることが極めて困難となる。したがって、かかる不正行為の実行を確実に防止することができる。
【００１９】
また、請求項６に記載の発明は、請求項５に記載のメダル検出方法であって、測定した前記時間差と設定されている前記レール部材の傾斜角度とが所定の対応関係を有していないとき異常とみなしてこれを報知する工程が更に備えられていることを特徴とする。
【００２０】
かかる請求項６に記載のメダル検出方法によれば、設定されているレール部材の傾斜角度と所定の対応関係を有しない検知信号に基づいて直ちに異常を検出し報知するので、例えば不正器具を用いた不正行為の事実を迅速に発見することができるとともに、不正行為を未然に防止して被害を抑制することができる。
【発明の効果】
【００２１】
上述した遊技機、メダルセレクタ装置及びメダル検出方法によれば、メダルセレクタ装置のレール部材の傾斜角度を例えば随時ランダムな角度に設定変更することにより、侵入させた不正器具を用いては、設定されている傾斜角度に対応したタイミング間隔でセンサを誤作動させることが極めて困難となる。これにより、不正器具を使ってクレジットを増加させるような不正行為の実行を確実に防止し、またそのような不正行為の発見も迅速、確実に行うことができる。
【発明を実施するための最良の形態】
【００２２】
以下、本発明に係る遊技機の好適な実施形態としてスロットマシン１を図面を参照しながら説明する。ここで、図１は、スロットマシン１の外観構造を表した斜視図である。スロットマシン１は、矩形箱状のキャビネット２と、当該キャビネット２に開閉可能に取り付けられる前扉３とからなる筐体を備えている。通常時においては、図１に示されるように、前扉３がキャビネット２に対し閉塞した状態で施錠されている。
【００２３】
前扉３の前面側には、遊技者に面する化粧板としてのいわゆるフロントマスクが形成されている。フロントマスクの上段部には、高輝度のＬＥＤを内蔵する上部ランプ５やコーナーランプ６ａ、６ｂ、また、左右の放音部７ａ、７ｂなどが配設されている。スロットマシン１がリーチや大当たり等の際には、上部ランプ５やコーナーランプ６ａ、６ｂ等が点灯または点滅して遊技者の視覚に訴える演出を行い、放音部７ａ、７ｂ等に内蔵されるスピーカが効果音や楽音等を出力して遊技者の聴覚に訴える演出を行う。
【００２４】
また、フロントマスク上段部で各放音部７ａ、７ｂに挟まれる中央位置には、演出画像表示用の液晶表示ユニット８が、前扉３の背後からその画面を臨ませて取り付けられている。液晶表示ユニット８は、ゲームの進行に応じて適宜選択される動画像を表示して当該ゲームにストーリー性を与えたり、また、ボーナスゲーム等の大当たりの際には、よりダイナミックな画像を表示して、遊技者に高配当の期待感を引き起こしたりするような視覚演出を行う。
【００２５】
フロントマスクの中段部には、平坦な樹脂板からなる中パネル９が設けられ、中パネル９の中央に形成された四角形の透明領域である表示窓９ａを介して、キャビネット２内部の３個のリール１０ａ、１０ｂ、１０ｃが視認可能とされている。なお、各リール１０ａ、１０ｂ、１０ｃは、それぞれ独立して回転可能であり、それぞれの外周面に描かれた縦３個、横３列の図柄（図示略）が表示窓９ａを介して変動表示されるようになっている。
【００２６】
中パネル９の下方には、前方に若干突出する卓状のコンパネ部１８が形成されている。このコンパネ部１８には、ゲームに賭けるメダルを投入するためのメダル投入部１１と、ゲーム開始を操作指示するためのベットボタン１２と、リール１０ａ、１０ｂ、１０ｃの回転開始操作をするためのスタートレバー１３と、各リール１０ａ、１０ｂ、１０ｃの回転停止操作をするためのストップボタン１４ａ、１４ｂ、１４ｃ等がそれぞれ所定の位置に配設されている。
【００２７】
フロントマスクの下段部には、スロットマシン１のモデルタイプ等を遊技者へ認識させるための、例えば登場キャラクターの絵柄（図示略）などが印刷された略四角形のプラスチック板である下パネル１５が取り付けられている。
【００２８】
フロントマスクの最下部には、入賞等の際にメダルを払い出すためのメダル払出口１６と、メダル払出口１６から払い出されたメダルを貯留するための受け皿４ａが形成された下皿部材４が取り付けられている。また、下皿部材４には、スピーカを内蔵する放音部１７ａ、１７ｂがそれぞれ左右位置に形成されている。
【００２９】
次に、図２を参照して、スロットマシン１の筐体内部の構造を説明する。ここで、図２は、前扉３を開いた状態でスロットマシン１の筐体内部の構造を表した正面図である。上述したようにキャビネット２は、矩形の箱体として主に合成木板から形成され、その内部の上部位置には、スロットマシン１の全体を統括制御するマイコンベースの主制御基板２１が互いに対向する透明なケース部材に収容されて設けられている。なお、主制御基板２１を収容するケース部材は、カシメと呼ばれる特殊な封止手段を介して閉塞され、キャビネット２の背板の内側面に離脱不能に固定されている。
【００３０】
また、キャビネット２内のほぼ中央に架け渡されて設けられたフレーム２２には、３個のリール１０ａ、１０ｂ、１０ｃを軸方向に並べてユニット化したリールユニット１０が固定されている。なお、リールユニット１０の天板部には、回胴装置基板４０（図３参照）が取り付けられ、主制御基板２１からの駆動パルス信号を中継し電流増幅して、各リール１０ａ、１０ｂ、１０ｃに直結するステッピングモータ４１ａ、４１ｂ、４１ｃに出力している（図３参照）。これにより、リール１０ａ、１０ｂ、１０ｃの回転及び停止の動作が主制御基板２１によって制御される。
【００３１】
リールユニット１０の下方には、ホッパーユニット２３が設置されている。ホッパーユニット２３は、複数枚のメダルを貯留可能な概略椀状のホッパー部２３１と、ホッパー部２３１の下方に連結する払出機構部２３２を備えている。払出機構部２３２の板金ケース内には、ホッパー部２３１に貯留したメダルを保持する穴が円周に沿って形成された図示しない払出プレートが備えられている。ホッパーユニット２３は、払出プレートを回転させることで、保持したメダルをスリット２３ａから付勢して外部に放出し、これにより受け皿４ａにメダルを払い出すようにしている。
【００３２】
また、ホッパーユニット２３に隣接して、ホッパー部２３１から溢れたメダルを貯留するためのオーバーフロータンク２４と、スロットマシン１に内蔵される各機器へ所要の電力を配電するための主電源装置２５が設置されている。
【００３３】
次に、前扉３の裏面側構造を説明する。前扉３は、比較的硬質のプラスチックで一体成形された前面枠３０１をメインフレームとし、前面枠３０１の裏面側で上端部及び左右の両端部に、それぞれ補強用の板金部材である横フレーム３０２と縦フレーム３０３、３０４がネジ止め固定されている。
【００３４】
右側の縦フレーム３０４及びキャビネット２の開口端部にそれぞれ端部が固定されるヒンジ機構（図示略）を介して、前扉３がキャビネット２に対して回動開閉可能に支持されている。また、左側の縦フレーム３０３には、施錠機構３２０が設けられている。前扉３をキャビネット２側に閉じたとき、この施錠機構３２０により自動的に前扉３がキャビネット２に施錠される。
【００３５】
前扉３の上部、つまり液晶表示ユニット８（図１参照）の裏面側にあたる位置には、画像制御基板８１（図３参照）が設けられ、当該画像制御基板８１の後方にサブ制御基板３１が離脱不能に設けられている。なお、これらの基板も透明なケース部材に収容されている。また、前面側の放音部７ａ、７ｂに対向してスピーカ３２ａ、３２ｂがそれぞれ取り付けられている。
【００３６】
なお、サブ制御基板３１は、主制御基板２１の制御下で、ゲームの進行に応じて上部ランプ５やコーナーランプ６ｂ、６ｃ等を点灯・点滅させるとともに、スピーカ３２ａ、３２ｂ等に効果音や楽音等を鳴動させる等の光や音によるゲームの演出制御を主に行っている。また、サブ制御基板３１は、後述するように液晶表示ユニット８に画像を表示させる表示制御コマンドを画像制御基板８１に対して出力する。
【００３７】
表示窓９ａを有する中パネル９（図１参照）を前面に取り付けた中パネルユニットの下方部には、スロットマシン１のベットボタン１２、スタートレバー１３、ストップボタン１４ａ、１４ｂ、１４ｃ等の操作スイッチ類の出力信号を主制御基板２１へ転送する中継基板としての中央表示基板３３が配置されている。
【００３８】
更に中央表示基板３３の下方には、前面のメダル投入部１１から投入されたメダルの適否を判別して振り分ける、本発明に係るメダルセレクタ装置の実施例であるメダルセレクタ１００が取り付けられている。メダルセレクタ１００は、メダル投入部１１に投入されたメダルが適正なものであると選別すると、メダルガイド部３４側にメダルを通過させるとともに、内部のメダルセンサ部１５０（図４等参照）がメダルを検知して主制御基板２１へ検知信号（受光パルス信号Ｒ１、Ｒ２）を出力する。後述するように主制御基板２１に備えられるメダル投入判別手段２０７は、適正なメダルが投入されたか若しくは不正行為によるものかを検知信号の整合性に基づいて判別する。
なお、メダルセレクタ１００を通過した正規のメダルは、メダルガイド部３４に案内されて、ホッパーユニット２３のホッパー部２３１に貯留される。
【００３９】
前扉３の裏面側下方部には、前面の下パネル１５をユニット化した下パネルユニット３５が取り付けられている。そして、下パネルユニット３５の裏面に、キャンセルシュート３６、払出シュート３７及び前面の放音部１７ａ、１７ｂに対向するスピーカ３８ａ、３８ｂが取り付けられている。
【００４０】
キャンセルシュート３６は、メダルセレクタ１００の下方に位置し、メダルセレクタ１００がメダルの投入受付を拒否したメダルや異物をメダル払出口１６に案内する。一方、払出シュート３７には、ホッパーユニット２３の放出スリット２３２ａと位置整合する開口３７ａが形成されている。すなわち、ホッパーユニット２３は、放出スリット２３２ａからこれに対向する開口３７ａを介して払出シュート３７内へメダルを放出し、そのメダルが払出シュート３７に導かれて前面のメダル払出口１６より外部へ払い出されるように形成されている。
【００４１】
次に、かかる構成のスロットマシン１の制御システムについて、図３のブロック図を参照しながら説明する。スロットマシン１の制御システムは、主制御基板２１を中央に、サブ制御基板３１と、中央表示基板３３と、回胴装置基板４０と、電源装置基板５０等の電気回路基板が、外部データバス、外部コントロールバスを含む配線ケーブルで相互に接続されている。
【００４２】
主制御基板２１は、ＣＰＵ２１１と、ＲＯＭ２１２及びＲＡＭ２１３である半導体メモリと、Ｉ／Ｏと、周辺機器に接続するためのインタフェース回路などが形成された電子回路基板である。なお、ＣＰＵ２１１は、上記半導体メモリの他に、割込コントローラ、外部バスインタフェース、クロックジェネレータ等のチップセットとともに１つのＩＣパッケージ内に集約されたゲーム機専用マイコンとして主制御基板２１に実装されている。
【００４３】
ＲＯＭ２１２には、スロットマシン１の全体動作を制御するシステムプログラムの他に、入賞の抽選確率等を定めるテーブルデータなどが記憶されている。また、ＣＰＵ２１１の作業記憶領域として用いられるＲＡＭ２１３には、図示しないバックアップ電源から駆動電流が供給され、スロットマシン１の主電源装置２５が電源オフの状態のときでもその記憶内容が保持されるように構成されている。
【００４４】
また、ＣＰＵ２１１に接続されている乱数発生器２１５は、発振素子及び当該発振素子で生成される短周期のパルス信号をカウントするカウンタを備えてなるハードウエア回路であり、ＣＰＵ２１１は、所定の遊技操作に係るタイミングで乱数発生器２１５のカウンタが示す値をサンプリング回路２１６が乱数値として取得し、その乱数値に基づいて入賞役及び演出パターン等のテーブル抽選を行っている。
【００４５】
クロック割込信号生成部２１４は、一定周期（数ミリｓｅｃ程度）のクロック信号を出力する。主制御基板２１のＣＰＵ２１１は、このクロック信号毎に起動される割込処理において、中央表示基板３３を中継して、スタートレバー１３、ストップボタン１４ａ、１４ｂ、１４ｃ、ベットボタン１２等のスイッチ出力を読み取っている。
【００４６】
また、主制御基板２１は、各リール１０ａ、１０ｂ、１０ｃの軸に直結したステッピングモータ４１ａ、４１ｂ、４１ｃの制御を回胴装置基板４０を介して行っている。すなわち、主制御基板２１は、回転指令信号としてのパルスデータを回胴装置基板４０へ出力し、回胴装置基板４０が電流増幅した４相の駆動パルス信号を各ステッピングモータ４１ａ、４１ｂ、４１ｃに供給することで、各リール１０ａ、１０ｂ、１０ｃの回転及び停止の制御をそれぞれ独立して行っている。また、ＣＰＵ２１１は、各基準位置センサ４２ａ、４２ｂ、４２ｃからの基準位置信号を受信する毎に回転位置データを校正し、これを基準に送出したパルスデータに基づいて正確に各リール１０ａ、１０ｂ、１０ｃの回転位置制御を行っている。
【００４７】
電源装置基板５０は、主制御基板２１、主電源装置２５及びホッパーユニット２３と間の制御信号及び電源ラインを中継している。ホッパーユニット２３によりメダルを払い出すに際し、主制御基板２１は、ホッパーユニット２３の払出モータ４３を駆動して払出プレートを回転させ、これによりメダルを連続して放出させる。そして、ホッパーユニット２３の放出スリット２３２ａ（図２参照）に設けられている払出センサ４４の作動回数をカウントした払出枚数が予定の払出枚数に到達した時、払い出しが完了とみなして払出モータ４３の駆動を停止させる。また、メダルの貸し出し操作があったときにも同様の制御が行われ、ホッパーユニット２３により所定貸出枚数のメダルがメダル払出口１６を介して遊技者に払い出される。
【００４８】
次に、主制御基板２１の制御の下で動作するサブ制御基板３１には、上部ランプ５及びコーナーランプ６ａ、６ｂ等の光源であるＬＥＤランプ、放音部７ａ、７ｂ、１７ａ、１７ｂに内蔵されるスピーカ３２ａ、３２ｂ、３８ａ、３８ｂ及び画像制御基板８１を介して液晶表示ユニット８などの演出に用いられる機器ユニットが接続されている。
サブ制御基板３１に備えられる照明制御部３１１は、主制御基板２１からの演出指令に従って上述のＬＥＤランプを点灯または点滅駆動させる。
【００４９】
また、サブ制御基板３１には、演出に用いるための楽音等の音源データを記憶する音源データメモリ３１３と、選択された音源データを復号してシーケンスの音信号に再生するＡＭＭデコーダ（Amusement Music Decoder with Sequencer）からなる音響制御部３１２とが備えられている。音響制御部３１２は、主制御基板２１からの演出指令に従って音源データメモリ３１３から音源データを読み取り、音信号に再生してスピーカ３２ａ、３２ｂ、３８ａ、３８ｂから出力させる。
【００５０】
また、サブ制御基板３１には、画像処理用ＬＳＩ（ＤＳＰ）からなる画像データ処理部３１４を備えている。画像データ処理部３１４は、主制御基板２１からの演出制御コマンドに基づいて表示制御コマンドを生成し画像制御基板８１へ出力する。画像制御基板８１は、表示制御コマンドに従って画像データメモリ８２から画像データを取得し、データの解凍及び画像再生処理を行ってビデオ信号を液晶表示ユニット８へ出力して演出画像を表示させている。
【００５１】
かかる構成のスロットマシン１は、先のゲームにおいて入賞しメダルの払い出しを完了させた時、または先のゲームにおいてハズレが確定すると待機状態となる。この状態において、遊技者がベットボタン１２を押圧操作することにより、内部に貯留したメダル（クレジット）から当該ゲームにメダルが賭けられゲームが開始する。このゲーム開始の状態でスタートレバー１３が傾倒操作されると、主制御基板２１は、リール１０ａ、１０ｂ、１０ｃを一斉に回転させると同時に、表示窓９ａに設定される有効ラインに引き込み停止制御可能な図柄の組み合せ、すなわち入賞を内部抽選する。
【００５２】
この内部抽選により何れかの入賞を当選したとき、その結果が主制御基板２１のＲＡＭ２１３の所定記憶領域に設定される内部当選フラグにセットされる。なお、この内部当選フラグがセットされ入賞が内定している状態を「内部当選状態」という。
【００５３】
次に、主制御基板２１は、ストップボタン１４ａ、１４ｂ、１４ｃが押圧操作されるに応じて対応するリールを順に停止させる。そして、主制御基板２１は、全てのリール１０ａ、１０ｂ、１０ｃが停止したのを検知した後、各リールが有効ラインに表示する図柄の組み合せと、上述の内部当選フラグで参照される当選した入賞に係る図柄の組み合せとが一致するか否か判定する。そして、何れかの有効ラインにおいて図柄が一致したとき当該入賞が確定し、配当されるメダルの数だけクレジットが加算される。また、配当された結果、クレジットがその上限を超える場合には、主制御基板２１はホッパーユニット２３を作動させ、クレジットの上限を超える枚数分のメダルをメダル払出口１６より下皿部材４へ払い出している。
【００５４】
このように、スロットマシン１の遊技者は、リール１０ａ、１０ｂ、１０ｃを回転・停止させる遊技操作を行って変動表示した図柄が揃わなければ賭けたメダルを失うが、内部当選した組み合せで図柄を揃えることにより入賞が成立し賭けた以上のメダルを獲得し得るので、技量と運によりメダルを増やすという興趣を伴ったゲームを楽しむことができる。
【００５５】
次に、上記スロットマシン１に搭載されるメダルセレクタ装置としてのメダルセレクタ１００をより詳細に説明する。図４は、メダルセレクタ１００の前面カバー１０１ｃを一部破断してその内部構造を表した正面図である。同図において、メダルセレクタ１００は、硬質プラスチック等の合成樹脂で一体的に形成された矩形状のケース１０１と、当該ケース１０１に対して開閉可能に取り付けられケース１０１の略上半分を覆う金属板から形成されるベースプレート１０２と、合成樹脂で形成されケース１０１の略下半分を開閉可能に覆う前面カバー１０１ｃとを備え構成されている。図４においては、前面カバー１０１ｃの上部を略斜めに破断して表している。また、図５は、上述のベースプレート１０２を取り外した状態でケース１０１を正面から見た場合の図である。
【００５６】
ベースプレート１０２は、前面視右方端部においてケース１０１に軸支され、この軸部に巻回されたトーションバネ１０３によって、常時、ケース１０１側へ閉じる方向に付勢されている。ベースプレート１０２には、規定の直径以上のメダルの投入を規制するようにメダルの最大直径だけ離間する一対の外径規制爪１０４ａ、１０４ｂと、規定の直径以下のメダルを脱落させる切欠き部１０５と、投入されたメダルの落下速度を制限する速度制限手段１０６が設けられている。
【００５７】
速度制限手段１０６は、所定のストローク範囲で回動可能に軸支されたスイングバー１０７と、スイングバー１０７を回動方向に付勢し落下するメダルに抗力を作用させるバネ部材１０８とから形成されている。
また、ベースプレート１０２には、切欠き部１０５を開閉するように回動可能に軸支されたゲート部材１１０を備えている。ゲート部材１１０は、常時、切欠き部１０５を閉じる側にトーションバネ１１１により付勢されている。
【００５８】
切欠き部１０５の下側には、ベースプレート１０２の斜め直線状の下端部分がケース１０１側にＬ字に折り曲げられることで、メダルの外周面を載せて自重により下方へ転動移送させる傾斜レール部１０９ａが形成されている。傾斜レール部１０９ａの上側壁は、図面手前側（メダルの移動方向に対しては開く側）に所定角度傾斜する切起し部１０９が形成されている。
【００５９】
また、傾斜レール部１０９ａを延長するように傾斜レール部材１０９ｂが角度変更可能に設けられている。この傾斜レール部材１０９ｂは、メダルの外周面を載置して転動させる上面を有する長尺状の部材からなり、メダルセンサ部１５０を遮るようにメダルを通過させる箇所を少なくとも含むように配設されている。すなわち、傾斜レール部材１０９ｂは、メダルセンサ部１５０よりも上流側の位置で傾斜レール部１０９ａの端部と連続し、メダルが移動する方向に沿う直線を含む鉛直面内において上下方向に回動可能となるように水平の取付ピン１０９ｃを介して軸支されている。
【００６０】
また、前面カバー１０１ｃには、傾斜レール部材１０９ｂの傾斜角度を変更させる駆動手段としての揺動モータ１５５が設けられている。揺動モータ１５５は、電気的に揺動位置が制御される例えばステッピングモータであり、当該軸に連結するリンクバー１５６の長孔１５７に、傾斜レール部材１０９ｂに植設された従動ピン１０９ｐが遊嵌している。これにより、揺動モータ１５５による駆動力がリンクバー１５６を介して傾斜レール部材１０９ｂに伝達され、その傾斜角度が変更されるようになっている。
【００６１】
図５において、ケース１０１の前方側の壁面は、ケース１０１の略上半分の領域を占め、転送されるメダルとの摩擦抵抗を低減させるための案内溝１２２が形成された平坦面部１２１と、平坦面部１２１の下方の斜めの縁端である屈折部１２３を境界線として所定角度で奧方へ屈折する傾斜面部１２４とを有して形成されている。
図４に示されたベースプレート１０２がケース１０１の平坦面部１２１と所定の距離をおいて対向することで、これらの間隙に、メダル入口１３１から右下方のメダル出口１３２へ向かうメダル案内通路１３３が形成される。
【００６２】
また、図４に示されたようにベースプレート１０２がケース１０１に対向した状態では、傾斜レール部１０９ａがケース１０１の屈折部１２３と平行し、かつ、屈折部１２３よりも若干下方に位置する。これにより生じる傾斜レール部１０９ａと傾斜面部１２４との間の間隙は、不適なメダルを落下排除させるためのメダル排除口１３４となっている。
【００６３】
図５に戻り、ケース１０１のメダル入口１３１付近には、規定以上の厚みを有するメダルを排除するためにベースプレート１０２側へ突出するシックネススクリュ１２５が設けられている。また、シックネススクリュ１２５の下方には、回動自在に軸支された合成樹脂製の押付けレバー１２６が設けられている。押付けレバー１２６は、ケース１０１の背後に設けられる圧縮されたコイルバネ１２７（図７参照）によって、ケース１０１に形成された開口１２８を通して平坦面部１２１からメダル案内通路１３３側へ突出するように付勢されている。
【００６４】
なお、図４に示した切欠き部１０５は、傾斜レール部１０９ａからの高さが正規のメダルの最小外径に形成されている。このため、後述するように、規定以下の直径を有するメダルが投入されると、押付けレバー１２６により切起し部１０９側へメダルが倒され、メダルをメダル排除口１３４へ脱落させる最小径規制手段を構成している。
【００６５】
また、ケース１０１のメダル案内通路１３３のほぼ中間位置には、メダルをメダル出口１３２側へ転送させ若しくはメダル排除口１３４へ落下させるブロッカ機構部１４０が形成されている。ブロッカ機構部１４０は、図４に示したゲート部材１１０と、ケース１０１に設けられる金属製のブロッカプレート１４１と、ブロッカプレート１４１を動作させるブロッカソレノイド１４５とから主に形成されている。
【００６６】
ブロッカプレート１４１は、ケース１０１の背面側でその後端が軸ピン１４２により揺動自在に軸支され、コイルバネ１４３の引張り力によりその先端のブロッカ爪１４１ａがメダル案内通路１３３側へ突出するように付勢されている。また、ブロッカソレノイド１４５は、ブロッカプレート１４１の背後に設けられ、ブロッカソレノイド１４５が励磁してオンすることにより、その磁力でブロッカプレート１４１を引き付け、ブロッカ爪１４１ａをメダル案内通路１３３から退避させるように配設されている。
【００６７】
次に、かかる構成のメダルセレクタ１００の動作の説明とともに、併せて不正器具を使った偽の検知信号を排除するメダル検出方法を説明する。ここで、図６は、主制御基板２１においてプログラムによる演算実行可能に備えられる、メダルセレクタ１００を制御するセレクタ制御手段２００の構成図である。また、図７は、メダルセレクタ１００の機械的な動作を説明するための正面図である。
【００６８】
まず、スロットマシン１のメダル投入部１１（図１参照）にメダルが投入されると、当該メダルはメダルセレクタ１００のメダル入口１３１から内部へ案内される。そして、図４に示された一対の外径規制爪１０４ａ、１０４ｂ及びシックネススクリュ１２５の間を通る一定以下の外径及び厚みを有するメダルＭ１のみが次段の最小径規制手段へと落下する。このとき、速度制限手段１０６のスイングバー１０７の先端がメダルＭ１に当接しながら回動することで、落下するメダルＭ１の速度が制限される。
【００６９】
図８は、図７において示すＡ−Ａ線に沿う最小径規制手段の部分の断面図であり、図８（ａ）は正規のメダルが投入された場合、図８（ｂ）は、正規のメダルよりも小さな外径のメダルが投入された場合の動作図である。最小径規制手段では、上述したように回動自在な押付けレバー１２６がコイルバネ１２７により付勢され、投入されたメダルが押付けレバー１２６により切欠き部１０５側に押し付けられる。
【００７０】
図８（ａ）に示されるように、ベースプレート１０２の傾斜レール部１０９ａから切欠き部１０５の上縁までの高さは正規のメダルの外径よりも若干短く形成されているので、正規の外径を有するメダルＭ２は、押付けレバー１２６と切欠き部１０５の上縁に挟まれながら傾斜レール部１０９ａ上を自重で転動し落下する。
他方、図８（ｂ）に示されるように、正規のメダルよりも小さい外径のメダルＭ３は、押付けレバー１２６により切欠き部１０５を抜けて切起し部１０９にまで倒され、傾斜レール部１０９ａから脱落する。これにより、メダルＭ３はメダル排除口１３４を介して下方へ排除される。
【００７１】
上述のセレクト手段で選別され通過した正規のメダルＭ２は、傾斜レール部１０９ａを転動落下してブロッカ機構部１４０へ移動する。主制御基板２１に備えられるブロッカ駆動手段２０１は、スロットマシン１がメダルの投入を受け付けることが可能な状態（これを「メダル投入可能状態」という）のときだけ、ブロッカソレノイド１４５へ励磁電流を供給する。
【００７２】
図９は、図７に示したＢ−Ｂ線に沿う断面図であって、メダル投入可能状態にあるブロッカ機構部１４０の主要構造を表している。この状態では、ブロッカソレノイド１４５はブロッカ駆動手段２０１が励磁電流を供給することでオン（励磁）しており、その磁力によってブロッカプレート１４１が引き付けられ、ブロッカプレート１４１の先端のブロッカ爪１４１ａがメダル案内通路１３３から退避している。同時に、ゲート部材１１０は、トーションバネ１１１によりベースプレート１０２を閉じる方向に付勢されるが、ゲート部材１１０のストッパピン１１０ａがケース１０１の平坦面部１２１に当接することにより、ベースプレート１０２に対してほぼ平行する回動位置に静止している。すなわち、メダル投入可能状態においては、ベースプレート１０２の切欠き部がゲート部材１１０によって概ね閉塞されるので、図９に示したようにブロッカ機構部１４０に進入したメダルＭ４は、ケース１０１の平坦面部１２１とゲート部材１１０との間隙を通って次段のメダルセンサ部１５０へ通過する。
【００７３】
一方、スロットマシン１がメダルの投入受け付けを禁止する状態（これを「メダル投入禁止状態」という）のときには、ブロッカ駆動手段２０１は電流供給をせず、ブロッカソレノイド１４５はオフとなる。ここで、図１０は、メダル投入禁止状態にあるブロッカ機構部１４０の主要構造を表している。この状態では、ブロッカソレノイド１４５はオフ（非励磁）の状態にあるため、図１０に示されるようにコイルバネ１４３の引張り力によってブロッカプレート１４１が回動し、その先端のブロッカ爪１４１ａがメダル案内通路１３３内へ突出する位置に保持される。このとき、ブロッカプレート１４１は、トーションバネ１１１の付勢力に抗してゲート部材１１０の押圧ピン１１０ｂを押し上げ、これによりゲート部材１１０をベースプレート１０２の切欠き部を開放する回動位置に静止させる。
【００７４】
このため、メダル案内通路１３３を移動するメダルＭ５は、突出するブロッカ爪１４１ａに衝突し、ベースプレート１０２の開放された切起し部１０９側へ倒される。そして、図１０に示されるように、メダルＭ５は傾斜レール部１０９ａから脱落し、メダル排除口１３４から下方へ落下する。
【００７５】
次に、ブロッカ機構部１４０を通過した正規のメダルＭ４は、メダルセンサ部１５０に送られ、その通過がメダル検出手段２０２により検出される。図６に示されたメダル検出手段２０２は、ランダム量発生手段２０３とレール角度設定手段２０４とを備えている。
【００７６】
ランダム量発生手段２０３は、例えばソフトウエア乱数発生処理によりランダムな数値を１つ選択する。レール角度設定手段２０４は、ランダム量発生手段２０３が選択したランダム値に応じた回動（揺動）量だけ揺動モータ１５５の揺動位置を制御することで、当該ランダム値に応じたオフセット角度に傾斜レール部材１０９ｂを設定する。ここで、「オフセット角度」とは、固定の傾斜レール部１０９ａの延長線に対して上方向（正面視で左回転方向）を正とする傾斜レール部材１０９ｂのなす角度のことをいう。
なお、傾斜レール部材１０９ｂの角度設定の変更は、毎回のゲームごと或いは所定時間ごと又はメダルの所定枚数投入ごとに随時行われる。メダルの所定枚数投入ごとに変更する場合は、例えば最大クレジット枚数（５０枚）よりも少ない枚数（例えば５枚や１０枚程度）ごとに傾斜レール部材１０９ｂの傾斜角度を変更させる。内部的な抽選を契機に傾斜レール部材１０９ｂの傾斜角度を変更してもよい。
【００７７】
ここで、傾斜レール部材１０９ｂの傾斜角度を変更した２つの事例により各動作を比較して説明する。図１１は、傾斜レール部材１０９ｂのオフセット角度がゼロに設定された場合におけるメダルセレクタ１００の正面図、図１２は、図１１の場合のフォトセンサ１５１、１５２の各検知信号及びコマンド受付信号のタイムチャートであり、併せてメダルの移動状態を時間帯で表している。同様に、図１３は、傾斜レール部材１０９ｂのオフセット角度が例えば５度に設定された場合におけるメダルセレクタ１００の正面図、図１４は、図１３の場合のフォトセンサ１５１、１５２の各検知信号、コマンド受付信号及びメダルの移動状態を表したタイムチャートである。
【００７８】
まず、図１１に示された状態である、傾斜レール部材１０９ｂのオフセット角度がゼロに設定された場合について説明する。メダルを検出するに際しフォトセンサ発光手段２０５は、例えば図１２に示す一定周期の発光パルス信号Ｓ１、Ｓ２をフォトセンサ１５１、１５２のそれぞれの発光素子に出力することで、これに同期するパルス光を発光させる。
【００７９】
時刻Ｔ10において正規のメダルＭ４がフォトセンサ１５１にさしかかると、時間差測定手段２０６は、当該メダルＭ４に反射したパルス光をフォトセンサ１５１の受光素子が受光することで得られる同位相の受光パルス信号Ｒ１（第１検知信号）を受信する。また、メダルＭ５がセンサの間隔だけ移動し時刻Ｔ20においてフォトセンサ１５２にさしかかると、時間差測定手段２０６は、当該メダルＭ４に反射したパルス光をフォトセンサ１５２の受光素子が検知した受光パルス信号Ｒ２（第２検知信号）を受信する。そして、時間差測定手段２０６は、これら検知信号の立ち上がりエッジの時間差ｔ0を測定して求める。
【００８０】
メダル投入判別手段２０７は、フォトセンサ１５１、１５２からの受光パルス信号Ｒ１、Ｒ２の検知が正規の順序であり、かつ、これら検知信号の時間差ｔ0が、上述の設定されたオフセット角度に対応する場合にメダルの投入を認定し受け付ける。具体的には、主制御基板２１のＲＯＭ２１２には、図１５に示される角度・時間差対照テーブル２０８がデータとして記憶され、メダル投入判別手段２０７は、この対照テーブルを参照して検知信号の時間差が許容時間差内にあるか否かを調べる。この角度・時間差対照テーブル２０８の対応関係は、メダルが傾斜レール部材１０９ｂを重力で転動落下する速度とフォトセンサ１５１、１５２の各受光素子の所定の間隔との関係から予め実験的・統計学的にチューニングされる。
【００８１】
すなわち、メダル投入判別手段２０７は、傾斜レール部材１０９ｂのオフセット角度がゼロに設定されている場合に上述の時間差ｔ0が５０±５ｍｓｅｃの許容時間差内にあると判別すると、適正なメダルが投入されたと認定する。そして、メダル受付処理手段２０９は、メダルＭ４がフォトセンサ１５２を通過した時刻Ｔ30の後にメダル受付コマンド信号をアクティブにすることで、メダルＭ４の投入を受け付ける処理を行う。
【００８２】
また、図１３に示されたように傾斜レール部材１０９ｂのオフセット角度が例えば５度に設定された場合についても、メダル投入判別手段２０７は、時刻Ｔ15においてフォトセンサ１５１が検知する受光パルス信号Ｒ１と、時刻Ｔ25においてフォトセンサ１５２が検知する受光パルス信号Ｒ２との時間差ｔ5が設定されたオフセット角度に対応するか否か判別する。
図１５の例で設定されているオフセット角度が５度の場合、対応する時間差は７５±５ｍｓｅｃであるから、測定した時間差ｔ5が７５±５ｍｓｅｃの許容時間差内にあると判別されると、メダル受付処理手段２０９は、メダルＭ４がフォトセンサ１５２を通過する時刻Ｔ35の後にメダル受付コマンド信号をアクティブにすることで、メダルＭ４の投入を受け付ける処理を行う。
【００８３】
また、メダル投入判別手段２０７は、受光パルス信号Ｒ１と受光パルス信号Ｒ２との立ち上がりエッジの時間差が、設定されているオフセット角度に対応する許容時間差内にない場合、また受光パルス信号Ｒ１と受光パルス信号Ｒ２の何れか一方のみを検知した場合、また受光パルス信号Ｒ１と受光パルス信号Ｒ２の順序が逆の場合などにおいてはエラーと判別する。これらのエラーの発生原因は、俗に「クレマン君」といわれている不正器具によるものである可能性が高く、こうしたエラーが判別された場合には、異常処理手段２１０が起動される。この場合、異常処理手段２１０は、サブ制御基板３１へエラー信号を出力して、液晶表示ユニット８やスピーカ等の演出装置に警報を出力させる。また、異常処理手段２１０は、エラー信号を外部出力集中端子板６０を介してホールコンピュータ等へ外部出力してもよい。
【００８４】
かかるメダルセレクタ１００及びメダル検出方法を採用したスロットマシン１によれば、メダルセレクタ１００内でメダルを転動移送させる傾斜レール部材１０９ｂの傾斜角度を随時、ランダムな量だけ機械的に変更させる。そして、変更した傾斜レール部材１０９ｂの角度に対応した速度で２つのフォトセンサ１５１、１５２が検知信号を出力した場合のみメダルの投入を受け付けるようにした。こうすることで、不正器具をメダルセンサ部１５０まで侵入させたとしても、設定されている角度に対応する許容時間差内のタイミング間隔で疑似光を出力することは極めて困難となるため、かかる不正器具を使ってクレジットをアップさせるような不正行為（ゴト行為）の実行を防止することができる。
【００８５】
また、設定されている角度に対応する許容時間差から外れたタイミングまたは順序で受光パルス信号Ｒ１、Ｒ２が検知された場合には、直ちにエラーが判別されるので、不正行為の事実を迅速に発見することができる。これにより、不正なクレジットアップを未然に防ぐことができる。
【００８６】
なお、本実施形態においては、メダルを検知するセンサ（メダルセンサ部１５０）として反射型のフォトセンサ１５１、１５２について説明したが、遮光型のフォトセンサその他検知方式のセンサを用いてもよい。また、メダルを検知する手段としてはセンサでなくても機械接点スイッチであっても本発明を適用することができる。
【００８７】
また、本実施形態においては、駆動手段としての揺動モータ１５５により傾斜レール部材１０９ｂの角度を変更させる例を説明したが、例えば回動モータにカムを介してまたはソレノイドを用いて傾斜レール部材１０９ｂを回動させてもよい。また、傾斜レール部材１０９ｂのみでなく、メダルセレクタ１００全体（本体）の角度を随時変更させてもよい。
【００８８】
また、メダルセレクタ１００を制御するセレクタ制御手段２００をスロットマシン１の主制御基板２１でなく専用の制御基板（例えばセレクタ制御基板）に搭載してもよい。こうすることで、本発明のメダルセレクタ装置をユニット化することができ、既存の遊技機に改造を加えなくてもオプションとして容易に取り付けることができる。
【産業上の利用可能性】
【００８９】
本発明は、スロットマシンに限らず、雀球遊技機等のメダルを用いてゲームを行う一般的な遊技機に広く応用が可能である。
【図面の簡単な説明】
【００９０】
【図１】遊技機の一例であるスロットマシンの外観構造を表した斜視図である。
【図２】図１に示したスロットマシンの前扉を開いた状態でその内部の構造を表した正面図である。
【図３】図１に示したスロットマシンの制御システムを表したブロック図である。
【図４】メダルセレクタ装置の一例であるメダルセレクタの前面カバーを一部破断してその内部構造を表した正面図である。
【図５】図４に示したメダルセレクタのベースプレートを取り外した状態での正面図である。
【図６】図４に示したメダルセレクタを制御するセレクタ制御手段の構成例を表した図である。
【図７】図４に示したメダルセレクタの機械的な動作を説明するための正面図である。
【図８】図７において示すＡ−Ａ線に沿う最小径規制手段の部分の断面図であり、動作を説明するための図である。
【図９】図７において示すＢ−Ｂ線に沿うブロッカ機構部の断面図であり、動作を説明するための図である。
【図１０】図７において示すＢ−Ｂ線に沿うブロッカ機構部の断面図であり、動作を説明するための図である。
【図１１】傾斜レール部材のオフセット角度がゼロに設定された場合におけるメダルセレクタの正面図であり、動作を説明するための図である。
【図１２】図１２の場合におけるフォトセンサの各検知信号及びコマンド受付信号等の波形等を表したタイムチャートである。
【図１３】傾斜レール部材のオフセット角度が５度に設定された場合におけるメダルセレクタの正面図であり、動作を説明するための図である。
【図１４】図１３の場合におけるフォトセンサの各検知信号及びコマンド受付信号等の波形等を表したタイムチャートである。
【図１５】図４に示したメダルセレクタを用いたメダルの検出において参照される角度・時間差対照テーブルの構成・内容の一例を表した図である。
【図１６】従来のメダルセレクタの構成及び課題を説明するための図である。
【符号の説明】
【００９１】
１  スロットマシン（遊技機）
２  キャビネット                              ３  前扉
４  下皿部材                                  ４ａ  受け皿
５  上部ランプ                                ６ａ、６ｂ  コーナーランプ
７ａ、７ｂ  放音部                            ８  液晶表示ユニット
９  中パネル                                  ９ａ  表示窓
１０ａ、１０ｂ、１０ｃ  リール                １１  メダル投入部
１２  ベットボタン                            １３  スタートレバー
１４ａ、１４ｂ、１４ｃ  ストップボタン        １５  下パネル
１６  メダル払出口                            １７ａ、１７ｂ  放音部
１８  コンパネ部                              ２１  主制御基板
２３  ホッパーユニット                        ２４  オーバーフロータンク
２５  主電源装置                              ３１  サブ制御基板
３２ａ、３２ｂ  スピーカ                      ３３  中央表示基板
３４  メダルガイド部                          ３５  下パネルユニット
３６  キャンセルシュート                      ３７  払出シュート
３８ａ、３８ｂ  スピーカ                      ４０  回胴装置基板
４１ａ、４１ｂ、４１ｃ  ステッピングモータ
４２ａ、４２ｂ、４２ｃ  基準位置センサ
５０  電源装置基板                            ６０  外部出力集中端子板
８１  画像制御基板                            ８２  画像データメモリ
１００  メダルセレクタ（メダルセレクタ装置）
１０１  ケース                                １０１ｃ  前面カバー
１０２  ベースプレート                        １０３  トーションバネ
１０４ａ、１０４ｂ  外径規制爪                １０５  切欠き部
１０６  速度制限手段                          １０７  スイングバー
１０８  バネ部材                              １０９  切起し部
１０９ａ  傾斜レール部                        １０９ｂ  傾斜レール部材
１０９ｃ  取付ピン                            １０９ｐ  従動ピン
１１０  ゲート部材
１１０ａ  ストッパピン                        １１０ｂ  押圧ピン
１１１  トーションバネ                        １２１  平坦面部
１２２  案内溝                                １２３  屈折部
１２４  傾斜面部                              １２５  シックネススクリュ
１２６  押付けレバー                          １２７  コイルバネ
１２８  開口                                  １３１  メダル入口
１３２  メダル出口                            １３３  メダル案内通路
１３４  メダル排除口                          １４０  ブロッカ機構部
１４１  ブロッカプレート                      １４１ａ  ブロッカ爪
１４３  コイルバネ                            １４５  ブロッカソレノイド
１５０  メダルセンサ部
１５１、１５２  フォトセンサ（センサ）
１５５  揺動モータ（駆動手段）                １５６  リンクバー
２００  セレクタ制御手段
２０１  ブロッカ駆動手段                      ２０２  メダル検出手段
２０３  ランダム量発生手段                    ２０４  レール角度設定手段
２０５  フォトセンサ発光手段                  ２０６  時間差測定手段
２０７  メダル投入判別手段                    ２０８  角度・時間差対照テーブル
２０９  メダル受付処理手段                    ２１０  異常処理手段
２１１  ＣＰＵ                                ２１２  ＲＯＭ
２１３  ＲＡＭ                                ２１４  クロック割込信号生成部
２１５  乱数発生器                            ２１６  サンプリング回路
２３１  ホッパー部                            ２３２  払出機構部
３０１  前面枠                                ３０２  横フレーム
３０３、３０４  縦フレーム                    ３１１  照明制御部
３１２  音響制御部                            ３１３  音源データメモリ
３１４  画像データ処理部                      ３２０  施錠機構
Ｓ１、Ｓ２  発光パルス信号
Ｒ１、Ｒ２  受光パルス信号（検知信号）
【図１】
0004936460.tif 000002
【図２】
0004936460.tif 000003
【図３】
0004936460.tif 000004
【図４】
0004936460.tif 000005
【図５】
0004936460.tif 000006
【図６】
0004936460.tif 000007
【図７】
0004936460.tif 000008
【図８】
0004936460.tif 000009
【図９】
0004936460.tif 000010
【図１０】
0004936460.tif 000011
【図１１】
0004936460.tif 000012
【図１２】
0004936460.tif 000013
【図１３】
0004936460.tif 000014
【図１４】
0004936460.tif 000015
【図１５】
0004936460.tif 000016
【図１６】
0004936460.tif 000017